(57)【特許請求の範囲】
【請求項１】
転写媒体を貼着した帯状フィルムを送り出す送出軸部及び被転写体に転写媒体を転写した後の帯状フィルムを巻き取る巻取軸部を筐体内に備えると共に、前記筐体の一端部に形成された開口に、帯状フィルムに貼着された転写媒体を被転写体へ転写する転写部を該開口から突出して設けた転写具において、前記開口及び転写部を覆うカバーを備え、このカバーの端部に形成された軸を前記開口の近傍に位置する前記筐体の外側に設けた枢支部によって枢支し、転写時には前記カバーの一部が筐体に当接し、別の一部が被転写体に当接するように構成したことを特徴とする転写具。
【請求項２】
カバーの軸を筐体の枢支部から脱着可能とし、使用時にカバーの方向を変えて該カバーの軸を筐体の枢支部に枢支させることで、転写角度を変更する構成としたことを特徴とする請求項１記載の転写具。
【請求項３】
枢支部を、開口の近傍に位置する筐体の外側に複数設け、使用時に、カバーの軸を選択的に枢支部に枢支させることで、転写角度を変更する構成としたことを特徴とする請求項１又は２に記載の転写具。
【請求項４】
送出軸部に、逆回転を防止する逆転防止機構を設けたことを特徴とする請求項１乃至３のいずれかに記載の転写具。
【請求項５】
巻取軸部の一端に、筐体外へ突出する回転操作用の突部を形成したことを特徴とする請求項１乃至４のいずれかに記載の転写具。
【発明の詳細な説明】
【０００１】
【発明の属する技術分野】
本発明は、表面に転写媒体を貼着した帯状フィルムを筐体内から送り出し、被転写体に対して転写媒体を転写し、被転写体に転写媒体を転写した後の帯状フィルムを筐体内に巻き取る転写具に係り、特に、転写部以外の箇所を被転写体に当接させることで、被転写体に対する転写部の転写角度を安定させることができる転写具に関するものである。
【０００２】
【従来の技術】
近年、例えば液状の修正液や液状の糊に代って、適量を容易に使用できる使い易さなどといった利点から、白色の転写媒体を貼着した帯状フィルムを筐体内から送り出し、紙などの被転写体に対して転写媒体を転写して、被転写体に記された修正個所を前記白色の転写媒体でもって修正する転写具や、また、両面に粘着性を呈する塗膜を転写媒体として貼着した帯状フィルムを、同じく筐体内から送り出し、紙などの被転写体と他の貼着体とを貼り付ける転写具が、普及してきている。
【０００３】
こうした転写具は、筐体内に、転写媒体を貼着した帯状フィルムを送り出す送出軸部及び被転写体に転写媒体を転写した後の帯状フィルムを巻き取る巻取軸部を備え、また、筐体の一端部に形成された開口に、該開口から突出し、送出軸部から転写媒体を貼着した帯状フィルムを送り出して被転写体に対して転写媒体を転写すると共に該帯状フィルムを該筐体内に送る転写部を備えた構成とされている。
【０００４】
なお、上記構成は、被転写体と他の貼着体とを貼り付ける塗膜を使用する転写具であっても、被転写体の記載を修正する白色の転写媒体を使用する転写具であっても、転写媒体が異なるだけで同様の構造となっている。
【０００５】
一方、こうした転写具においては、筐体の開口から異物が侵入して、巻取軸部や送出軸部の回転に異常を来たしたり、また、転写媒体の不要な転写を防止するために、開口及び転写部を覆うカバーを設けたものがある。
【０００６】
転写具に設けたカバーは、カバーを開けたときに筐体と完全に分離するものや、カバーの一部が筐体に係止されて、カバーを開けたときにも筐体から分離しないものもある。
【０００７】
【発明が解決しようとする課題】
しかしながら、従来の転写具は、転写部のみが被転写体に対して当接する構成とされていたので、筐体を手に持って転写部を転写媒体に当接させて操作する際、転写部を介して筐体と被転写体とでなす角度が安定しないばかりか、帯状フィルムの送出方向と直交する方向の角度（以下、これらの角度を総称して転写角度という）が安定せず、操作が不慣れな者が使用すると、転写媒体を確実に被転写体に転写できないといった問題があった。
【０００８】
本発明は、上記の問題を解決するものであり、転写部以外の箇所を被転写体に当接させることで、被転写体に対する転写部の転写角度を安定させることができる転写具を提供することを目的とする。
【０００９】
【課題を解決するための手段】
上記の目的を達成するために、本発明は、筐体の開口及び転写部を覆うカバーを備え、このカバーの端部に形成された軸を開口の近傍に位置する筐体の外側に設けた枢支部によって枢支し、転写時にはカバーの一部が筐体に当接し、別の一部が被転写体に当接するように構成したのである。このようにすることで、転写部以外にカバーの別の一部が被転写体に当接して筐体自体を支持するため、転写角度が安定する。
【００１０】
【発明の実施の形態】
本発明は、転写媒体を貼着した帯状フィルムを送り出す送出軸部及び被転写体に転写媒体を転写した後の帯状フィルムを巻き取る巻取軸部を筐体内に備えると共に、筐体の一端部に形成された開口に、帯状フィルムに貼着された転写媒体を被転写体へ転写する転写部を該開口から突出して設けた転写具において、開口及び転写部を覆うカバーを備え、このカバーの端部に形成された軸を開口の近傍に位置する筐体の外側に設けた枢支部によって枢支し、転写時にはカバーの一部が筐体に当接し、別の一部が被転写体に当接するように構成したものである。
【００１１】
本発明の転写具は、カバーを開けて筐体の開口及び転写部を露出して使用する。カバーは、筐体の枢支部で枢支された軸を中心に回転させることによって開状態とされる。このときに、カバーにおける軸が形成された側の外面の一部を、筐体の外側に当接させる。
【００１２】
カバーの上記回転によってカバーの一部を筐体の外側に当接させる一方、使用時に転写部を被転写体に当接させると共に、カバーにおける軸が形成された側と反対側の別の一部を、被転写体に当接させる。
【００１３】
これによって、本発明の転写具は、転写部とカバーの別の一部とが被転写体に当接して２点で支持されることとなり、自立する。このとき、転写角度が決定して本発明の転写具は、安定状態となるのである。従って、本発明の転写具は、カバーを開けて使用するときには、転写媒体を被転写体に確実かつ安定して転写することができる。
【００１４】
上記の構成において、転写媒体とは、白色などの透明でない修正用の膜体、両面に粘着性を呈する塗膜など、をいう。こうした転写媒体を貼着した帯状フィルムは、転写部を被転写体に当接させた状態で、筐体を手に持って帯状フィルムを送り出すように移動させると、筐体の移動とは相対的に転写媒体を貼着した帯状フィルムが送出軸部から転写部へと送り出される。そして、帯状フィルムは、転写部によって被転写体に転写媒体が転写された後、送出軸部と連動して回転する巻取軸部に巻き取られる。
【００１５】
また、本発明の転写具は、上記構成において、カバーの軸を筐体の枢支部から脱着可能とし、使用時にカバーの方向を変えて該カバーの軸を筐体の枢支部に枢支させることで、転写角度を変更する構成としたり、また、枢支部を、開口の近傍に位置する筐体の外側に複数設け、使用時に、カバーの軸を選択的に枢支部に枢支させることで、転写角度を変更する構成とすることで、所望の転写角度でかつ安定させた状態で転写媒体を被転写体に確実に転写することができる。
【００１６】
また、本発明の転写具は、上記構成において、送出軸部に、逆回転を防止する逆転防止機構を設けたものである。逆転防止機構は、例えば送出軸部のギヤに、帯状フィルムの送出方向にのみ回転を許容する爪を当接させる。このようにすれば、筐体を、帯状フィルムの送出方向に移動させたときであっても、送出軸部のギヤが爪と係合して回転せず、よって転写媒体を貼着した帯状フィルムが送出軸部に巻き戻ることがなくなる。
【００１７】
また、本発明の転写具は、上記構成において、巻取軸部の一端に、筐体外へ突出する回転操作用の突部を形成すれば、仮に帯状フィルムが巻き緩んだときには、適正に巻き取ることができ、常に正常な状態で使用することが可能となる。
【００１８】
【実施例】
以下に、本発明の転写具の実施例について図面を参照して説明する。
図１及び図２は、本発明の転写具の第１実施例の態様を示す。図３は、本発明の転写具の第２実施例の態様を示す。図４は、本発明の転写具の第３実施例の態様を示す。なお、以下の実施例では、例えば転写媒体として粘着性を呈する塗膜を帯状フィルムに貼着した場合について説明する。
【００１９】
図１〜図４において、１は、被転写体に塗膜Ｐを転写する本発明の転写具であり、第１実施例〜第３実施例で共通して以下の構成とされている。
【００２０】
２は、転写具１の外形を構成し、後述する部材を収納した筐体であり、この筐体２は、図示する状態では、縦分割した一方の筐体２の一部を除いた状態を示している。また、筐体２は、その一端部に開口２ａが形成されている。
【００２１】
３は、表面側に塗膜Ｐが貼着された帯状フィルムＦを巻装した送出軸部としての送出軸であり、この送出軸３は、筐体２内で開口２ａから奥方側に位置し、筐体２に回転可能に枢支されている。そして、この送出軸３の一端部には送出ギヤ３Ａが固着されている。
【００２２】
４は、送出軸３において、送出ギヤ３Ａの歯に当接して、送出方向には回転を許容し、巻取方向には回転を禁止する逆転防止機構である。この逆転防止機構４は、送出ギヤ３Ａにおける、送出方向側の面が直線状で、かつ、巻取方向側の面が円弧状とされたロック爪４Ａと、このロック爪４Ａを枢支する送出軸３と平行な軸４Ｂと、ロック爪４Ａにおける送出ギヤ３Ａの巻取方向の面と当接する位置に設けられた係止片４Ｃとで構成される。
【００２３】
５は、塗膜Ｐが被転写体に転写された後の帯状フィルムＦを巻き取る巻取軸部としての巻取軸であり、この巻取軸５は、筐体２内で開口２ａから手前側に位置し、筐体２に回転可能に枢支されている。そして、この巻取軸５の一端部で、送出軸３の送出ギヤ３Ａと噛合する位置に、巻取ギヤ５Ａが固着されている。
【００２４】
６は、巻取軸５の一端に筐体２外へ突出させて設けた回転操作用の操作突部であり、この操作突部６は、仮に何らかの要因で帯状フィルムＦが弛んだりしたときに、巻取軸５へ弛んだ帯状フィルムＦを巻き取るためのものである。
【００２５】
７は、開口２ａから露出した状態で設けた転写部としての、例えば転写ローラであり、この転写ローラ７は、送出軸３から送り出された帯状フィルムＦの送出経路の途中箇所に位置し、該転写ローラ７を被転写体に押し付けて該帯状フィルムＦが送られるように筐体２を移動させることで、帯状フィルムＦを送出軸３から巻取軸５へと送ると共に、塗膜Ｐを被転写体に転写させる。
【００２６】
８は、開口２ａ及び転写ローラ７を覆うカバーであり、このカバー８は、例えば開放面の一端部に送出軸３及び巻取軸５と平行な軸８Ａが形成されている。
【００２７】
（第１実施例）
図１及び図２に示す第１実施例では、上記した転写具１の第１実施例〜第３実施例共通の構成において、筐体２の開口２ａの近傍の外側に、上記カバー８の軸８Ａを枢支する枢支部２Ａを１つ形成している。そして、カバー８は、枢支部２Ａに枢支された軸８Ａを中心に回動して開閉可能とされている。
【００２８】
続いて第１実施例における転写具１の操作について説明する。
未使用状態では、カバー８が転写ローラ７及び開口２ａを覆うように閉じた状態とされ、図１（ａ）に示す状態で開口２ａの上部に位置するカバー８の端部（軸８Ａを設けた側とは反対の端部）を図示斜め下方に押し出すことで、軸８Ａを中心にカバー８が回転して開く。
【００２９】
その後、カバー８の一部が筐体２に当接するまで該カバー８を回転させて、筐体２を斜めにすると、図２に示すように、該カバー８の別の一部が被転写体に当接することとなる。このとき、転写ローラ７も被転写体に当接させる。
【００３０】
従って、転写具１は、転写ローラ７とカバー８の別の一部によって被転写体上に自立することとなり、転写具１の中央軸線と転写ローラ７の転写部分を介した被転写体とでなす転写角度が安定した状態となる。
【００３１】
すなわち、この状態を保持しつつ、筐体２を手に持って帯状フィルムＦを送り出すように移動させることで、転写角度が変更することによる転写不良が発生することがなくなり、不慣れな者であっても確実にかつ安定して塗膜Ｐを被転写体に転写させることが可能となる。
【００３２】
そして、転写具１は、転写角度を安定させた状態で、筐体２を移動させることで、転写ローラ７によって塗膜Ｐを貼着した帯状フィルムＦが送出軸３から送り出され、このときに、送出ギヤ３Ａが回転すると共に、巻取ギヤ５Ａが回転することで転写ローラ７を介して帯状フィルムＦが巻取軸５に巻き取られる。
【００３３】
このとき、逆転防止機構４において、ロック爪４Ａの円弧状の面が送出ギヤ３Ａの歯を滑るので、送出ギヤ３Ａが回転可能となるのであり、送出ギヤ３Ａを逆転させると、ロック爪４Ａの直線状の面が送出ギヤ３Ａの歯に係合すると共に、ロック爪４Ａ自体が係止片４Ｃに当接して該ロック爪４Ａの移動が禁止されるため、送出ギヤ３Ａの逆転が禁止される。
【００３４】
また、仮に何らかの要因で帯状フィルムＦが弛んで、転写ローラ７に密着した状態ではなくなったときは、転写ローラ７による塗膜Ｐが被転写体に確実に転写されないこととなる。そのときは、操作突部６によって巻取軸５を操作して強制的に帯状フィルムＦを巻き取ることでこうした弛みを解消することができる。
【００３５】
すなわち、通常の使用では、送出ギヤ３Ａに従動して巻取ギヤ５Ａが回転するため、帯状フィルムＦの送り出しと巻き取りが同時に行われる。一方、操作突部６を操作して巻取軸５を強制的に回転させると、送出ギヤ３Ａと巻取ギヤ５Ａのギヤ比が異なるから、巻取ギヤ５Ａの回転による帯状フィルムＦの巻き取りの方が、送出ギヤ５Ａによる帯状フィルムＦの送り出しより若干早く、よって次第に弛みが無くなるのである。
【００３６】
（第２実施例）
次に、図３に示す本発明の転写具１の第２実施例について説明する。第２実施例では、上記した転写具１の第１実施例〜第３実施例共通の構成において、筐体２の開口２ａの近傍の外側に、上記カバー８の軸８Ａを脱着可能に枢支する枢支部２Ａを１つ形成している。そして、カバー８は、枢支部２Ａに枢支された軸８Ａを中心に回動して開閉可能とされている。
【００３７】
すなわち、第２実施例では、カバー８を開いたときに、軸８Ａを枢支部２Ａから外し、方向を変え、上記でカバー８の別の一部として被転写体と当接させていた部分を筐体２に当接させ、上記でカバー８の一部として筐体２に当接させていた部分を被転写体に当接させることで、上記の転写角度とは異なる転写角度とすることができる。以上が、第１実施例と異なる点であり、その他は、上記した第１実施例と同様であり、転写具１の塗膜Ｐの転写操作自体も同様である。
【００３８】
第２実施例では、このようにすることで、カバー８の形状によって異なる２種類の転写角度を選択することが可能となり、操作者の操作しやすい転写角度で塗膜Ｐを被転写体に転写することができ、よって第１実施例に較べてより使い勝手がよくなる。
【００３９】
（第３実施例）
次に、図４に示す本発明の転写具１の第３実施例について説明する。第３実施例では、上記した転写具１の第１実施例〜第３実施例共通の構成において、筐体２の開口２ａの近傍の外側に、上記カバー８の軸８Ａを脱着可能に枢支する枢支部２Ａを、帯状フィルムＦの送出方向へ順次例えば２つ形成している。そして、カバー８は、枢支部２Ａに枢支された軸８Ａを中心に回動して開閉可能とされている。
【００４０】
すなわち、第３実施例では、カバー８を開いたときに、軸８Ａを枢支部２Ａから外し、枢支部２Ａの位置を変えたり、カバー８の方向を変えることで、転写角度を多数設定できる。以上が、第１及び第２実施例と異なる点であり、その他は、上記した第１実施例と同様であり、転写具１の塗膜Ｐの転写操作自体も同様である。
【００４１】
第３実施例では、このようにすることで、軸８Ａの枢支位置と、カバー８の形状とで異なる転写角度を、複数の中から選択することが可能となり、操作者の操作しやすい転写角度で塗膜Ｐを被転写体に転写することができ、よって第１実施例及び第２実施例に較べてより一層使い勝手がよくなる。
【００４２】
なお、上記した第１〜第３実施例では、転写媒体として塗膜Ｐを使用した例を示したが、白色などの透明でない修正用の膜体においても、上記と同様の作用効果が得られることは言うまでもない。また、カバー８における軸８Ａを、カバー８の開放面の両端に形成してもよい。さらには、転写部は、上記では、転写ローラ７を示したが、必要に応じて舌片状の転写チップを採用してもよい。
【００４３】
【発明の効果】
以上説明したように、本発明の転写具は、筐体の開口及び転写部を覆うカバーを備え、このカバーの端部に形成された軸を開口の近傍に位置する筐体の外側に設けた枢支部によって枢支し、転写時にはカバーの一部が筐体に当接し、別の一部が被転写体に当接するように構成したしたので、転写部とカバーとによって筐体を被転写体上に支持して自立させることができるから、不慣れな操作者であっても転写角度が安定し、転写媒体を確実かつ安定して被転写体に転写することが可能となる。
【００４４】
また、本発明の転写具は、上記構成において、カバーの軸を筐体の枢支部から脱着可能とし、使用時にカバーの方向を変えて該カバーの軸を筐体の枢支部に枢支させることで、転写角度を変更する構成としたり、枢支部を、開口の近傍に位置する筐体の外側に複数設け、使用時に、カバーの軸を選択的に枢支部に枢支させることで、転写角度を変更する構成としたので、操作者の使いやすい転写角度を選択することができ、上記に較べより一層確実かつ安定して転写媒体に転写することが可能となる。
【００４５】
また、本発明の転写具は、上記構成において、送出軸部に、逆回転を防止する逆転防止機構を設けたので、筐体を、帯状フィルムの送出方向に移動させたときであっても、送出軸部のギヤが爪と係合して回転せず、よって転写媒体を貼着した帯状フィルムが送出軸部に巻き戻ることがなくなる。
【００４６】
また、本発明の転写具は、上記構成において、巻取軸部の一端に、筐体外へ突出する回転操作用の突部を形成したので、仮に帯状フィルムが巻き緩んだときには、適正に巻き取ることができ、常に正常な状態で使用することが可能となる。
【図面の簡単な説明】
【図１】本発明の転写具の第１実施例における構成を示し、（ａ）は縦中央で分割した筐体の一方を取り外した状態の図、（ｂ）は完成状態にある本発明の転写具を正面方向から見た図、である。
【図２】本発明の転写具の第１実施例における使用状態を示す図である。
【図３】（ａ）（ｂ）は、本発明の転写具の第２実施例における構成及び使用態様例を示し、縦中央で分割した筐体の一方を取り外した状態の図である。
【図４】（ａ）（ｂ）は、本発明の転写具の第３実施例における構成及び使用態様例を示し、縦中央で分割した筐体の一方を取り外した状態の図である。
【符号の説明】
１    転写具
２    筐体
２Ａ  枢支部
２ａ  開口
３    送出軸（送出軸部）
４    逆転防止機構
５    巻取軸（巻取軸部）
６    操作突部（突部）
７    転写ローラ（転写部）
８    カバー
８Ａ  軸
Ｆ    帯状フィルム
Ｐ    塗膜
【図１】
0004268307.tif 000002
【図２】
0004268307.tif 000003
【図３】
0004268307.tif 000004
【図４】
0004268307.tif 000005